(57)【要約】【課題】接地接続されている状態で試験装置に接続可能であり、誘導感電のおそれがないアースフック用のアダプターフックを提供する。【解決手段】アダプターフック１は、遮断器１００に設けられているアースフック接続金具１３２ａに係止され、従来のアースフック３００ａ，３００ｂが係止されてアースフック接続金具１３２ａとの間を導通状態にする装置である。このアダプターフック１は、絶縁材で断面略円形の棒状に構成されている操作棒２と、アースフック接続金具１３２ａに係止される金属製フック部３と、アースフック３００ａ，３００ｂが係止される増設金具４と、フック部３と増設金具４とを導通させるための中継ケーブル５とを備えている。【選択図】  図３
2018205107.tif 000002
【特許請求の範囲】
【請求項１】
遮断器と、前記遮断器に接続される送電線との接続端子から延設されたアースフック接続金具に係止されるアダプターフックであって、
絶縁保護された操作棒と、
前記操作棒の一端部に設けられ、前記操作棒を把持する把持部と、
前記操作棒の他端部に設けられ、前記アースフック接続金具に係止されるフック部と、
前記把持部と前記フック部との間に設けられた増設金具と、
前記フック部と前記増設金具とを通電する中継ケーブルと、を備え、
前記増設金具には、前記遮断機に備えられた変流器の通電試験を行う試験装置に接続されて試験電流が流される第１のアースフックと、接地接続されて前記通電試験の前に前記遮断機の残留電荷を放電する第２のアースフックと、が係止される、
ことを特徴とするアダプターフック。
【請求項２】
前記増設金具は、
前記操作棒に周設され、前記操作棒の軸方向に移動自在な支持部と、
前記支持部の側面からそれぞれ左右に延びて設けられた２つのアーム部と、
を備えたことを特徴とする請求項１に記載のアダプターフック。
【請求項３】
遮断器と、前記遮断器に接続される送電線との接続端子から延設されたアースフック接続金具に係止されるアースフックに用いられるアースフック用増設部材であって、
前記アースフックの操作棒に取り付けられ、前記操作棒の軸方向に移動自在な支持部と、
前記支持部の側面からそれぞれ左右に延びて設けられた２つのアーム部と、
を備えたことを特徴とするアースフック用増設部材。
【発明の詳細な説明】
【技術分野】
【０００１】
この発明は、遮断器に接続される送電線との接続端子から延設されたアースフック接続金具に係止されるアースフック用のアダプターフック、及びアースフックに用いられるアースフック用増設部材に関する。
【背景技術】
【０００２】
発電所のような施設には、高圧送電線に短絡電流等の事故電流が流れた場合、この電流を遮断する遮断器が配設されている。この遮断器には、高圧送電線に流れる電流を検出する変流器が設けられ、変流器が検出する電流に基づいて事故電流を遮断するように構成されている。
【０００３】
図５は、従来の遮断器１００の例を示す斜視図である。この遮断器１００は、主として台部１１０と、本体ケース１２０と、ブッシング１３０ａ，１３０ｂと、収納ケース１４０ａ，１４０ｂと、変流器１５０ａ，１５０ｂとを備え、送電線２００ａ，２００ｂに接続されている。
【０００４】
台部１１０は、本体ケース１２０を支持する箇所であり、金属で作られて接地するように構成されている。本体ケース１２０は、金属で作られた中空のケースであり、内部に遮断装置が収納されている。ブッシング１３０ａ，１３０ｂは、送電線２００ａ，２００ｂと本体ケース１２０とをそれぞれ絶縁する箇所であり、先端側にそれぞれ接続端子１３１ａ，１３１ｂと、アースフック接続金具１３２ａ，１３２ｂとが設けられている。接続端子１３１ａ，１３１ｂは、ブッシング１３０ａ，１３０ｂの内部に備えられている導体を送電線２００に接続する端子である。アースフック接続金具１３２ａ，１３２ｂは、後述する変流器の試験を行うために、アースフックが接続されるための金具である。接続端子１３１ａ，１３１ｂと、アースフック接続金具１３２ａ，１３２ｂとは、それぞれ通電している。収納ケース１４０ａ，１４０ｂは、変流器１５０ａ，１５０ｂが収納されるためのケースである。変流器１５０ａ，１５０ｂは、送電線２００ａ，２００ｂに流される電流を検出し、本体ケース１２０内の遮断装置に送るための装置である。本体ケース１２０内の遮断装置は、変流器１５０ａ，１５０ｂからの検出電流を基にして、送電線２００ａと送電線２００ｂとの間を遮断する。
【０００５】
こうした遮断器１００が寿命その他の理由により取り替えられた場合、変流器１５０ａ，１５０ｂの試験（以下、「ＣＴ試験」という。）が行われている。ＣＴ試験は、一次側の変流器１５０ａに試験電流を流し、二次側の変流器１５０ｂに発生する電流を検出することにより行われる。
【０００６】
図６は、図５のアースフック接続金具１３２ａに接地接続されているアースフック３００ａが係止されている状態の例を示す斜視図である。また、図７は、図５のアースフック接続金具１３２ａに試験装置４００が接続されているアースフック３００ｂが係止されている状態の例を示す斜視図である。ＣＴ試験は、アースフック接続金具１３２ａ，１３２ｂにアースフック３００ａ，３００ｂを接続することにより行われる。このアースフック３００ａ，３００ｂは、絶縁材で構成されている棒状の操作棒３１０ａ，３１０ｂと、操作棒３１０ａ，３１０ｂの先端に設けられた金属性のフック３２０ａ，３２０ｂと、フック３２０ａ，３２０ｂに接続されている導電性のアース線３３０ａ，３３０ｂとにより構成されている。
【０００７】
従来のＣＴ試験について、アースフック接続金具１３２ａ側を例として説明する。まず、図６に示すように、アース線３３０ａの先端が台部１１０に接続されて接地接続されているアースフック３００ａは、作業者により操作棒３１０ａが把持されて操作され、フック３２０ａがアースフック接続金具１３２ａに係止される。これにより、接続端子１３１ａ側の残留電荷が放電される。次に、アースフック３００ａがアースフック接続金具１３２ａから外され、図７に示すように、アース線３３０ｂの先端が試験装置４００に接続されているアースフック３００ｂは、作業者により操作棒３１０ｂが把持されて操作され、フック３２０ｂがアースフック接続金具１３２ａに係止される。これにより、試験装置４００が一次側の変流器１５０ａに接続され、試験電流が流される。そして、二次側の変流器１５０ｂに電流が発生するので、これを検出することによりＣＴ試験が行われる。
【０００８】
このようなＣＴ試験では、アースフック接続金具１３２ａにアースフック３００ｂを係止する際、アースフック接続金具１３２ａが接地接続されていないため、アースフック３００ｂの帯電により誘導感電等が発生するおそれがあった。また、アースフック接続金具１３２ａは小さいため、一つのアースフックしか係止させることができないが、仮に２つのアースフック３００ａ，３００ｂを係止させた場合、アース線３３０ａとアース線３３０ｂとが絡まり合うことにより、誤って外してしまうおそれがあった。さらに、アースフック接続金具１３２ａ，１３２ｂは高所に設けられているため、作業者のふらつき等によりブッシング１３０ａ，１３０ｂを破損するおそれがあった。
【０００９】
そこで、このようなＣＴ試験を安全に行うため、変流器の一次試験を行う際に、試験装置側で接続の変更を行う変流器一次試験の試験方法が知られている（例えば、特許文献１参照。）。
【先行技術文献】
【特許文献】
【００１０】
【特許文献１】特開２０１４−０６６６６６号公報
【発明の概要】
【発明が解決しようとする課題】
【００１１】
ところで、この試験方法であっても、接続の変更時には接地接続されていない状態になるため、誘導感電が発生するおそれがあり、作業上危険が伴うものであった。
【００１２】
そこでこの発明は、試験装置が接続されているアースフックを遮断器に接続する際に、接地接続されている状態で接続可能であり、誘導感電のおそれがないアースフック用のアダプターフック及びアースフック用増設部材を提供することを目的とする。
【課題を解決するための手段】
【００１３】
上記課題を解決するために、請求項１の発明は、遮断器と、前記遮断器に接続される送電線との接続端子から延設されたアースフック接続金具に係止されるアダプターフックであって、絶縁保護された操作棒と、前記操作棒の一端部に設けられ、前記操作棒を把持する把持部と、前記操作棒の他端部に設けられ、前記アースフック接続金具に係止されるフック部と、前記把持部と前記フック部との間に設けられた増設金具と、前記フック部と前記増設金具とを通電する中継ケーブルと、を備え、前記増設金具には、前記遮断機に備えられた変流器の通電試験を行う試験装置に接続されて試験電流が流される第１のアースフックと、接地接続されて前記通電試験の前に前記遮断機の残留電荷を放電する第２のアースフックと、が係止される、ことを特徴とする。
【００１４】
この発明では、アダプターフックはアースフック接続金具に係止されるフック部を備えている。また、増設金具を備え、試験装置に接続されて試験電流が流される第１のアースフックと、接地接続されて通電試験の前に遮断機の残留電荷を放電する第２のアースフックと、が係止される。このフック部と増設金具とは、中継ケーブルにより通電している。
【００１５】
請求項２の発明は、請求項１に記載のアダプターフックにおいて、前記増設金具は、前記操作棒に周設され、前記操作棒の軸方向に移動自在な支持部と、前記支持部の側面からそれぞれ左右に延びて設けられた２つのアーム部と、を備えたことを特徴とする。
【００１６】
請求項３の発明は、遮断器と、前記遮断器に接続される送電線との接続端子から延設されたアースフック接続金具に係止されるアースフックに用いられるアースフック用増設部材であって、前記アースフックの操作棒に取り付けられ、前記操作棒の軸方向に移動自在な支持部と、前記支持部の側面からそれぞれ左右に延びて設けられた２つのアーム部と、を備えたことを特徴とする。
【発明の効果】
【００１７】
請求項１の発明によれば、増設金具を備え、試験装置に接続されて試験電流が流される第１のアースフックと、接地接続されて通電試験の前に遮断機の残留電荷を放電する第２のアースフックとが係止されるので、この増設金具に第２のアースフックが係止されている状態で、第１のアースフックを係止することが可能になる。これにより、接地接続されている状態で試験装置に接続することが可能であるため、アダプターフック及びアースフックが帯電して誘導感電のおそれがなくなる。また、フック部がアースフック接続金具に係止されるので、第１のアースフック及び第２のアースフックの係止位置が低くなるため、作業者のふらつき等によりブッシングを破損するおそれがなくなる。
【００１８】
請求項２の発明によれば、増設金具は、操作棒に周設された支持部の側面からそれぞれ左右に延びて設けられた２つのアーム部を備えているため、第１のアースフック及び第２のアースフックを左右のアーム部にそれぞれ係止させることにより、第１のアースフックと第２のアースフックとの間の距離が適切に保たれるので、第１のアースフック及び第２のアースフックのそれぞれのアース線が絡まり合うことを防止する。これにより、第１のアースフック及び第２のアースフックのいずれかを外す際に、誤って外すことを防止できる。また、支持部が操作棒の軸方向に移動自在に設けられているので、アースフックの長さに応じて位置を調整することができる。
【００１９】
請求項３の発明によれば、既存のアースフックに用いられるアースフック用増設部材が、操作棒の軸方向に移動自在な支持部と、支持部の側面からそれぞれ左右に延びて設けられた２つのアーム部とを備えたことにより、この増設金具に第２のアースフックが係止されている状態で、第１のアースフックを係止することが可能になる。これにより、接地接続されている状態で試験装置に接続することが可能であるため、アダプターフック及びアースフックが帯電して誘導感電のおそれがなくなる。また、この増設金具を既存のアースフックに装着することができるので、既存のアースフックに本発明を適用することが可能になる。
【図面の簡単な説明】
【００２０】
【図１】この発明の実施の形態１に係るアダプターフック１の概略を示す図であり、正面図（ａ）、及び左側面図（ｂ）である。
【図２】図１のアダプターフック１が図５のアースフック接続金具１３２ａに係止され、フック３２０ａがアーム部４２ａに係止されている状態の例を示す斜視図である。
【図３】図１のアダプターフック１が図５のアースフック接続金具１３２ａに係止され、フック３２０ａがアーム部４２ａに係止され、フック３２０ｂがアーム部４２ｂに係止されている状態の例を示す斜視図である。
【図４】図１のアダプターフック１が図５のアースフック接続金具１３２ａに係止され、フック３２０ｂがアーム部４２ｂに係止され、フック３２０ａがアーム部４２ａから外された状態の例を示す斜視図である。
【図５】従来の遮断器１００の例を示す斜視図である。
【図６】図５のアースフック接続金具１３２ａに接地接続されているアースフック３００ａが係止されている状態の例を示す斜視図である。
【図７】図５のアースフック接続金具１３２ａに試験装置４００が接続されているアースフック３００ｂが係止されている状態の例を示す斜視図である。
【発明を実施するための形態】
【００２１】
以下、この発明を図示の実施の形態に基づいて説明する。
【００２２】
（実施の形態１）
図１ないし図４は、この発明の実施の形態１に係るアダプターフック１を示し、図１は、アダプターフック１の正面図（ａ）、及び左側面図（ｂ）である。このアダプターフック１は、図５に示す遮断器１００に設けられているアースフック接続金具１３２ａ，１３２ｂに係止され、図６及び図７に示すような従来のアースフック３００ａ，３００ｂが係止されてアースフック接続金具１３２ａ，１３２ｂとの間を導通状態にする装置であり、主として操作棒２と、フック部３と、増設金具４と、中継ケーブル５とを備えている。
【００２３】
操作棒２は、絶縁材で断面略円形の棒状に構成されているアダプターフック１の本体部分であり、その一端部には、作業者がこの操作棒２を把持する把持部２１が設けられている。
【００２４】
フック部３は、アースフック接続金具１３２ａ，１３２ｂに係止される金属製のフックであり、アースフック３００ａ，３００ｂに設けられているフック３２０ａ，３２０ｂと略同様に構成され、操作棒２の把持部２１が設けられている側とは反対側の一端部に設けられている。このフック部３は、主として可動部３１と、固定部３２と、連結部３３とを備えている。可動部３１は、固定部３２に回動可能に固定されている箇所であり、この固定箇所を軸として開く方向に所定の力が加えられると開き、アースフック接続金具１３２ａ，１３２ｂを挟持するように構成されている。固定部３２は、操作棒２に固定されて可動部３１を支持する箇所であり、可動部３１と共にアースフック接続金具１３２ａ，１３２ｂを挟持する箇所である。連結部３３は、操作棒２に固定される連結箇所である。
【００２５】
増設金具４は、従来のアースフック３００ａ，３００ｂが係止される箇所であり、操作棒２の把持部２１とフック部３との間に、操作棒２の軸方向（図１（ａ）に示す矢印Ａ方向）に対して移動自在であり、操作棒２の円周方向（図１（ａ）に示す矢印Ｂ方向）に対して移動自在に設けられている。この増設金具４は、主として支持部４１と、アーム部４２ａ，４２ｂと、ストッパ４３とを備えている。支持部４１は、操作棒２の側面に周設されてアーム部４２ａ，４２ｂを支持する箇所であり、操作棒２の軸方向及び円周方向に対して滑動して移動自在に設けられている。この支持部４１は、絶縁材であるプラスチック樹脂等により形成され、中継ケーブル５との接続端子を備え、この接続端子がアーム部４２ａ，４２ｂと接続されるように形成されている。アーム部４２ａ，４２ｂは、アースフック３００ａ，３００ｂが係止される箇所であり、棒状の金属部材が支持部４１の側面からそれぞれ左右に延びて略Ｌ字型に形成されている。ストッパ４３は、移動自在な支持部４１を動かなくするための部材であり、ゴム樹脂等により形成され、操作棒２の側面に取り外し自在に周設されている。
【００２６】
中継ケーブル５は、フック部３の固定部３２と、増設金具４の支持部４１とに接続され、フック部３とアーム部４２ａ，４２ｂとを導通させるための電気ケーブルであり、断面略中央に導電性のケーブルが設けられ、周囲が絶縁材により覆われて形成されている。
【００２７】
なお、増設金具４の支持部４１は、操作棒２の軸方向に対して移動自在であるが、これはアーム部４２ａ，４２ｂに係止されるアースフック３００ａ，３００ｂの長さに応じて調整自在にするためであり、そのとき、支持部４１の位置によっては中継ケーブル５が弛んでしまい、遮断器１００と接触事故を起こすおそれがある。そのため、支持部４１は操作棒２の円周方向に対して移動自在であり、操作棒２を軸として支持部４１を回転させ、中継ケーブル５を操作棒２の連結部３３と支持部４１との間に巻き付けることにより、中継ケーブル５の弛みを防止することができる。操作棒２の側面には、中継ケーブル５が巻き付けられるための溝（図示略）が設けられている。
【００２８】
次に、このようなアダプターフック１を使用するＣＴ試験の方法及び作用等について、遮断器１００のアースフック接続金具１３２ａ側を例として、以下に説明する。
【００２９】
図２は、図１のアダプターフック１が図５のアースフック接続金具１３２ａに係止され、接地接続されているフック３２０ａがアーム部４２ａに係止されている状態の例を示す斜視図である。図３は、図１のアダプターフック１が図５のアースフック接続金具１３２ａに係止され、フック３２０ａがアーム部４２ａに係止され、試験装置４００が接続されているフック３２０ｂがアーム部４２ｂに係止されている状態の例を示す斜視図である。また、図４は、図１のアダプターフック１が図５のアースフック接続金具１３２ａに係止され、フック３２０ｂがアーム部４２ｂに係止され、フック３２０ａがアーム部４２ａから外された状態の例を示す斜視図である。
【００３０】
まず、アダプターフック１は、作業者によって把持部２１が把持され、操作棒２の操作によりフック部３の可動部３１がアースフック接続金具１３２ａに接触して押圧され、可動部３１が開いてアースフック接続金具１３２ａに係止される。このとき、アースフック３００ａの長さに応じて、事前に増設金具４の支持部４１が操作棒２の軸方向に対して移動して位置が調整され、中継ケーブル５が弛む場合には支持部４１を回転させ、中継ケーブル５を操作棒２に巻き付ける。アースフック（第２のアースフック）３００ａのアース線３３０ａの先端は、台部１１０に接続されて接地接続されている。そして、アダプターフック１のアーム部４２ａには、アースフック３００ａの操作棒３１０ａの操作によりフック３２０ａが係止され、図２に示すような状態になる。すると、接続端子１３１ａ側の残留電荷は、アダプターフック１のフック部３から中継ケーブル５を経由してアーム部４２ａに流され、アースフック３００ａのフック３２０ａからアース線３３０ａを経由して台部１１０に流される。これにより、接続端子１３１ａ側の残留電荷が放電される。
【００３１】
次に、アダプターフック１のアーム部４２ｂには、アースフック（第１のアースフック）３００ｂの操作棒３１０ｂの操作により、アースフック３００ｂのフック３２０ｂが係止され、図３に示すような状態になる。このアースフック３００ｂのアース線３３０ｂの先端は、試験装置４００に接続されている。また、アーム部４２ａには、接地接続されているアースフック３００ａのフック３２０ａが係止された状態で保持されている。なお、アーム部４２ａに係止されているアースフック３００ａの操作棒３１０ａは、フック３２０ａから取り外し可能である。これにより、増設金具４が接地されている状態で試験装置４００に接続されるので、誘導感電等のおそれがなくなる。
【００３２】
さらに、アダプターフック１のアーム部４２ａから、接地接続されているアースフック３００ａのフック３２０ａが外され、図４に示す状態になる。これにより、試験装置４００が一次側の変流器１５０ａに接続され、試験電流が流される。そして、二次側の変流器１５０ｂに電流が発生するので、これを検出することによりＣＴ試験が行われる。
【００３３】
このように、このアダプターフック１によれば、増設金具４にアーム部４２ａ，４２ｂが設けられ、アース線３３０ａの先端が接地接続されているアースフック３００ａと、アース線３３０ｂの先端が試験装置４００に接続されているアースフック３００ｂとがそれぞれ係止される。そして、ＣＴ試験のときに、アースフック３００ａが係止されている状態で、アースフック３００ｂを係止することができるので、接地接続されている状態で、試験装置４００を接続することが可能である。これにより、ＣＴ試験の回路を構成するときに、アダプターフック１及びアースフック３００ａ，３００ｂが帯電して誘導感電するおそれがなくなる。
【００３４】
また、アーム部４２ａ，４２ｂはアースフック接続金具１３２ａより低くなるので、アースフック３００ａ，３００ｂの係止位置も低くなる。そのため、作業者のふらつき等により、ブッシング１３０ａ，１３０ｂを破損するおそれがなくなる。
【００３５】
さらに、増設金具４がアーム部４２ａ，４２ｂを備え、アーム部４２ａ，４２ｂにアースフック３００ａ，３００ｂがそれぞれ係止されることにより、アースフック３００ａとアースフック３００ｂとの間の距離が適切に保たれる。これにより、アース線３３０ａとアース線３３０ｂとが絡まり合うことを防止できるので、アースフック３００ａとアースフック３００ｂとを誤って外してしまうことを防止できる。
【００３６】
（実施の形態２）
この発明の実施の形態２に係るアースフック用増設部材は、図１に示すアダプターフック１の増設金具４と同様の構成を有しており、増設金具４が操作棒２及び中継ケーブル５から取り外された状態である。具体的には、増設金具４から中継ケーブル５を取り外し、支持部４１が操作棒２の把持部２１側から抜き出されたものである。このアースフック用増設部材は、既存のアースフック３００ａ，３００ｂの操作棒３１０ａ，３１０ｂの下端側に挿入されることにより取り付け可能であり、中継ケーブル５に代えてアース線３３０ａ，３３０ｂを支持部４１に接続することにより、実施の形態１に係るアダプターフック１と同様の効果を得ることができる。
【００３７】
このように、このアースフック用増設部材によれば、実施の形態１と同様に、アーム部４２ａ，４２ｂが設けられ、アースフック３００ａとアースフック３００ｂとがそれぞれ係止される。そして、ＣＴ試験のときに、アースフック３００ａが係止されている状態で、アースフック３００ｂを係止することができるので、接地接続されている状態で、試験装置４００を接続することが可能である。これにより、ＣＴ試験の回路を構成するときに、アダプターフック１及びアースフック３００ａ，３００ｂが帯電して誘導感電するおそれがなくなる。また、既存のアースフック３００ａ，３００ｂに取り付け可能に構成されているため、既存のアースフック３００ａ，３００ｂにこのアースフック用増設部材を適用することが可能になる。
【００３８】
以上、この発明の実施の形態について説明したが、具体的な構成は、上記の実施の形態に限られるものではなく、この発明の要旨を逸脱しない範囲の設計の変更等があっても、この発明に含まれる。例えば、上述した実施の形態では、アーム部４２ａ，４２ｂを支持部４１から延びて略Ｌ字型に形成したが、アースフック３００ａ，３００ｂが係止しやすい形状であれば良く、例えば、環状に形成しても良い。
【符号の説明】
【００３９】
１                                アダプターフック
２                                操作棒
３                                フック部
４                                増設金具（アースフック用増設部材）
５                                中継ケーブル
２１                              把持部
３１                              可動部
３２                              固定部
３３                              連結部
４１                              支持部
４２ａ，４２ｂ                    アーム部
４３                              ストッパ
１００                            遮断器
１１０                            台部
１２０                            本体ケース
１３０ａ，１３０ｂ                ブッシング
１３１ａ，１３１ｂ                接続端子
１３２ａ，１３２ｂ                アースフック接続金具
１４０ａ，１４０ｂ                収納ケース
１５０ａ，１５０ｂ                変流器
２００ａ，２００ｂ                送電線
３００ａ                          アースフック（第２のアースフック）
３００ａ                          アースフック（第１のアースフック）
４００                            試験装置
【図１】
2018205107.tif 000003
【図２】
2018205107.tif 000004
【図３】
2018205107.tif 000005
【図４】
2018205107.tif 000006
【図５】
2018205107.tif 000007
【図６】
2018205107.tif 000008
【図７】
2018205107.tif 000009